(57)【要約】【課題】カーテン生地の安定した移動操作を可能とするスライドスクリーンを提供する。【解決手段】共通のハンガーレールに複数のキャリア５ａ，５ｂをランナー４ａ〜４ｄを介して移動可能に支持し、各キャリア５ａ，５ｂからそれぞれ平板状のカーテン生地を吊下支持し、先頭のカーテン生地をハンガーレールに沿って移動させることにより、カーテン生地をハンガーレールに沿って順次引き出し、あるいはハンガーレールの一側に収納可能としたスライドカーテンにおいて、キャリア５ａを支持する一対のランナー４ａ，４ｂ間に、他のキャリア５ｂを支持する一対のランナー４ｃ，４ｄのうちいずれかを位置させて、一方のキャリア５ａに追随して他方のキャリア５ｂを移動させる。【選択図】        図３
2004194698.tif 000002
【特許請求の範囲】
【請求項１】
共通のハンガーレールに複数のキャリアをランナーを介して移動可能に支持し、前記各キャリアからそれぞれ平板状のカーテン生地を吊下支持し、先頭のカーテン生地をハンガーレールに沿って移動させることにより、前記カーテン生地をハンガーレールに沿って順次引き出し、あるいはハンガーレールの一側に収納可能としたスライドカーテンにおいて、
前記キャリアを支持する一対のランナー間に、他のキャリアを支持する一対のランナーのうちいずれかを位置させて、一方のキャリアに追随して他方のキャリアを移動させることを特徴とするスライドスクリーン。
【請求項２】
前記各ランナーの本体をハンガーレールの下方に露出させ、前記キャリアは前記本体の前面に取着するキャリアと、前記本体の後面に取着するキャリアとで構成したことを特徴とする請求項１記載のスライドスクリーン。
【請求項３】
前記ランナーは、両持型ランナーで構成したことを特徴とする請求項１または２記載のスライドスクリーン。
【請求項４】
前記ハンガーレールを前レールと後レールとで構成し、前記各レールに複数の前記キャリアをそれぞれ支持し、異なるレール間で対向するキャリアには、互いに係合して一方の先頭のカーテン生地側のキャリアに追随して他方のキャリアを移動させることを特徴とする請求項１乃至３のいずれかに記載のスライドスクリーン。
【請求項５】
前記各キャリアを同一幅に形成し、前記各キャリアで支持する一対のランナーの一方は、カーテン生地を全開位置まで移動させたとき、各キャリアの収納位置が揃うように、各キャリアの端部からランナー１個分オフセットしたことを特徴とする請求項１乃至４のいずれかに記載のスライドスクリーン。
【発明の詳細な説明】
【０００１】
【発明の属する技術分野】
この発明は、カーテン生地を平板状に引き延ばした状態でハンガーレールに沿って移動可能に吊下支持するスライドスクリーンに関するものである。
【０００２】
【従来の技術】
スライドスクリーンは、ハンガーレール内を移動する複数のランナーにそれぞれキャリアがハンガーレールの幅方向に所定間隔を隔てて吊下支持され、そのキャリアからそれぞれ平板状のカーテン生地が吊下支持される。
【０００３】
このような構成により、複数枚のカーテン生地が平板状に吊下支持された状態で、ハンガーレールに沿って引き違い操作可能となっている。
このようなスライドスクリーンは、特許文献１あるいは特許文献２に開示されている。
【０００４】
上記のようなスライドスクリーンでは、カーテン生地をハンガーレールに沿って引き出すとき、先頭のカーテン生地の端縁を把持して引き出すと、後続のカーテン生地が順次引き出される。
【０００５】
また、カーテン生地をハンガーレールの一側に収納する場合には、先頭のカーテン生地の端縁を把持して移動させると、後続のカーテン生地とともに収納される。
【０００６】
【特許文献１】
特開２００１−３１４３１２
【特許文献２】
実公平１−３１７５８
【０００７】
【発明が解決しようとする課題】
特許文献２に開示されたスライドスクリーンでは、カーテン生地の引き出し操作時及び収納操作時に支持体に設けられた連結棒を係合させて、各カーテン生地を移動させる構成である。
【０００８】
しかし、ランナーが片持ち支持であるので、カーテン生地の操作時にランナーが前後方向すなわちハンガーレールの幅方向に揺動すると、連結部の係合が外れ、カーテン生地を所定位置まで移動させることができないという問題点がある。
【０００９】
特許文献１に記載されたスライドスクリーンでは、ガイドを介してカーテン取り付け台をスライド可能に連結し、カーテン取り付け台の両端にストッパを設けて、各カーテン生地を順次移動させる構成である。
【００１０】
しかし、カーテン接続体が僅かに揺動してもガイドがカーテン取り付け台に対し円滑に移動できななくなる。また、各カーテン生地をハンガーレールの幅方向に所定間隔ずつ隔てて吊下支持する必要があるため、各ランナーに対するカーテン接続体の取り付け位置がそれぞれ異なっている。
【００１１】
従って、各ランナーを共通化することができず、組み立て工数及び部品点数が増大する。
この発明の目的は、カーテン生地の安定した移動操作を可能とするスライドスクリーンを提供することにある。また、カーテン生地の安定した移動操作を可能とし、かつランナーを共通化し得るスライドスクリーンを提供することにある。
【００１２】
【課題を解決するための手段】
請求項１では、共通のハンガーレールに複数のキャリアをランナーを介して移動可能に支持し、前記各キャリアからそれぞれ平板状のカーテン生地を吊下支持し、先頭のカーテン生地をハンガーレールに沿って移動させることにより、前記カーテン生地をハンガーレールに沿って順次引き出し、あるいはハンガーレールの一側に収納可能としたスライドカーテンにおいて、前記キャリアを支持する一対のランナー間に、他のキャリアを支持する一対のランナーのうちいずれかを位置させて、一方のキャリアに追随して他方のキャリアを移動させる。
【００１３】
請求項２では、前記各ランナーの本体をハンガーレールの下方に露出させ、前記キャリアは前記本体の前面に取着するキャリアと、前記本体の後面に取着するキャリアとで構成した。
【００１４】
請求項３では、前記ランナーは、両持型ランナーで構成した。
請求項４では、前記ハンガーレールを前レールと後レールとで構成し、前記各レールに複数の前記キャリアをそれぞれ支持し、異なるレール間で対向するキャリアには、互いに係合して一方の先頭のカーテン生地側のキャリアに追随して他方のキャリアを移動させる。
【００１５】
請求項５では、前記各キャリアを同一幅に形成し、前記各キャリア支持する一対のランナーの一方は、カーテン生地を全開位置まで移動させたとき、各キャリアの収納位置が揃うように、各キャリアの端部からランナー１個分オフセットした。
【００１６】
【発明の実施の形態】
以下、この発明を具体化した一実施の形態を図面に従って説明する。図１に示すスライドスクリーンは、４枚のカーテン生地１ａ〜１ｄがハンガーレール２に沿って移動可能に吊下支持されている。
【００１７】
図２及び図３に示すように、前記ハンガーレール２は前レール３ａと後レール３ｂとから構成され、前レール３ａ内にはカーテン生地１ａを吊下支持するための２個のランナー４ａ，４ｂと、カーテン生地１ｂを吊下支持するための２個のランナー４ｃ，４ｄとが配設される。
【００１８】
後レール３ｂ内には、カーテン生地１ｃを吊下支持するための２個のランナー４ｅ，４ｆと、カーテン生地１ｄを吊下支持するための２個のランナー４ｇ，４ｈとが配設される。前記ランナー４ａ〜４ｈは、本体の両側に車輪を備えた両持型ランナーである。
【００１９】
前記ランナー４ａ〜４ｈの本体は、ハンガーレール２の下方に露出されている。前記ハンガーレール２の下方において、前記ランナー４ａ，４ｂの本体の前面には、キャリア５ａが取着され、前記ランナー４ｃ，４ｄの後面には、キャリア５ｂが取着される。
【００２０】
前記ランナー４ｅ，４ｆの本体の前面には、キャリア５ｃが取着され、前記ランナー４ｇ，４ｈの後面には、キャリア５ｄが取着される。前記キャリア５ａ〜５ｄは、同一幅で形成される。
【００２１】
そして、各ランナー４ａ〜４ｈの本体の下方において、各キャリア５ａ〜５ｄの前面には前記カーテン生地１ａ〜１ｄの上端部が面ファスナーで貼着されている。
【００２２】
前記ランナー４ｂは、キャリア５ａに対しランナー１個分内側に取着され、前記ランナー４ｃはキャリア５ｂに対しランナー１個分内側に取着される。また、前記ランナー４ｆはキャリア５ｃに対しランナー１個分内側に取着され、前記ランナー４ｇはキャリア５ｄに対しランナー１個分内側に取着される。
【００２３】
前記前レール３ａ内において、ランナー４ｃはランナー４ａ，４ｂ間に配設される。また、前記後レール３ｂ内において、ランナー４ｇはランナー４ｅ，４ｆ間に配設される。
【００２４】
前記キャリア５ｂの後端（図３において左端）には、前記キャリア５ｃに向かって突出するストッパ６ａがほぼランナーと同じ幅で設けられる。前記ストッパ６ａは、キャリア５ｂに対しランナー１個分内側に形成されている。
【００２５】
前記キャリア５ｃの先端部及び後端には、前記キャリア５ｂに向かって突出して、前記ストッパ６ａに係合するストッパ６ｂ，６ｃがほぼランナーと同じ幅で設けられる。このストッパ６ｂ，６ｃ間に、前記ストッパ６ａが突出されている。従って、ストッパ６ａは、ストッパ６ｂ，６ｃ間でのみ同ストッパ６ｂ，６ｃに対し相対移動する。
【００２６】
次に、上記のように構成されたスライドスクリーンの動作を説明する。図１は、各カーテン生地１ａ〜１ｄをハンガーレール２に沿って全閉状態まで引き出した状態を示す。
【００２７】
この状態では、図３に示すように、ランナー４ｂ，４ｃが当接し、ストッパ６ａ，６ｂが当接し、ランナー４ｆ，４ｇが当接している。
この状態から、カーテン生地１ａを収納方向、すなわち図１左方に移動させると、キャリア５ａが同方向へ移動して、図４に示すように、やがてハンガーレール２内においてランナー４ａがランナー４ｃに当接する。
【００２８】
この状態から、カーテン生地１ａをさらに同方向に移動させると、キャリア５ａ，５ｂが一体に移動し、カーテン生地１ａとともにカーテン生地１ｂが同方向に移動する。
【００２９】
カーテン生地１ａをさらに同方向へ移動させると、図５に示すように、やがてストッパ６ａがストッパ６ｃに当接する。
この状態から、カーテン生地１ｂをさらに同方向へ移動させると、キャリア５ａ〜５ｃが一体に移動し、カーテン生地１ａとともにカーテン生地１ｂ，１ｃが同方向に移動する。そして、図６に示すように、キャリア５ａ〜５ｄがハンガーレール２の一端部において重なり合う状態となり、カーテン生地１ａ〜１ｄがハンガーレール２の一端部に収納され、全開状態となる。
【００３０】
また、カーテン生地１ａ〜１ｄを引き出す場合には、図６に示す状態からカーテン生地１ａを右方へ引き出すと、図７に示すように、キャリア５ａが移動して、まずランナー４ｂがランナー４ｃに当接して同ランナー４ｂ,４ｃが一体に移動し、キャリア５ｂが同方向へ移動する。
【００３１】
カーテン生地１ａをさらに同方向へ移動させると、図８に示すように、ストッパ６ａがストッパ６ｂに当接して、キャリア５ｂとともにキャリア５ｃが移動する。
【００３２】
カーテン生地１ａをさらに同方向へ移動させると、図３に示すように、ランナー４ｆがランナー４ｇに当接する状態となり、この状態で全閉状態となる。
上記のように構成されたスライドスクリーンでは、次に示す作用効果を得ることができる。
（１）カーテン生地１ａを移動操作すると、ハンガーレール２の前レール３ａ内においてキャリア１ａを支持するランナー４ａあるいは同４ｂと、キャリア５ｂを支持するランナー４ｃとが直接当接してキャリア５ａ，５ｂが一体に移動する。従って、キャリア１ａに対しキャリア１ｂを安定して追随させることができるので、カーテン生地１ａの操作によりカーテン生地１ｂを安定して追随させることができる。後レール３ｂ内を移動するランナー４ｅ〜４ｈについても同様である。
（２）ランナー４ａ，４ｂの本体前面にキャリア５ａを取着し、ランナー４ｃ，４ｄの後面にキャリア５ｂを取着することにより、ランナー４ａ〜４ｄを共通化することができる。また、キャリア５ａ，５ｂも共通化することができる。ランナー４ｅ〜４ｈ及びキャリア５ｃ，５ｄについても同様である。従って、ランナー４ａ〜４ｈ及びキャリア５ａ〜５ｄを共通化することができる。
（３）各ランナー４ａ〜４ｈは、両持型ランナーであるので、キャリア５ａ〜５ｄを揺動させることなく支持することができる。
（４）キャリア５ｂ，５ｃに設けられたストッパ６ａ〜６ｃにより、キャリア５ｂにキャリア５ｃを追随させることができる。ストッパ６ａ〜６ｃは、キャリア移動方向に係合するのみであるので、キャリア５ｂ，５ｃが僅かに揺動しても、ストッパ６ａに対し、ストッパ６ｂ，６ｃを確実に係合させて、キャリア５ｃを円滑に追随させることができる。
【００３３】
上記実施の形態は、次に示すように変更することもできる。
・ハンガーレール２は、キャリア５ａ，５ｂを支持する前レール３ａのみとしてもよい。
【００３４】
【発明の効果】
以上詳述したように、この発明はカーテン生地の安定した移動操作を可能とするスライドカーテンを提供することにある。また、カーテン生地の安定した移動操作を可能とし、かつランナーを共通化し得るスライドスクリーンを提供することができる。
【図面の簡単な説明】
【図１】スライドカーテンを示す正面図である。
【図２】スライドカーテンを示す側面図である。
【図３】スライドカーテンの動作を示す説明図である。
【図４】スライドカーテンの動作を示す説明図である。
【図５】スライドカーテンの動作を示す説明図である。
【図６】スライドカーテンの動作を示す説明図である。
【図７】スライドカーテンの動作を示す説明図である。
【図８】スライドカーテンの動作を示す説明図である。
【符号の説明】
１ａ〜１ｄ        カーテン生地
２        ハンガーレール
４ａ〜４ｈ        ランナー
５ａ〜５ｄ        キャリア
【図１】
2004194698.tif 000003
【図２】
2004194698.tif 000004
【図３】
2004194698.tif 000005
【図４】
2004194698.tif 000006
【図５】
2004194698.tif 000007
【図６】
2004194698.tif 000008
【図７】
2004194698.tif 000009
【図８】
2004194698.tif 000010